(57)【要約】【課題】管理者でない者であっても防犯操作（警備操作や出入操作）に影響を与えることなく顧客の所望や設置環境に応じた音量や光量（輝度）を調節可能な非接触型のカード読取装置を提供する。【解決手段】ＩＣカードの所定の読み取り操作または警備ボタン１３ａおよび解除ボタン１３ｂの同時押操作により輝度調整モードおよび／または音量調整モードへ移行する。警備ボタン１３ａの操作により表示部（１２ａ、１２ｂ、１２ｃ、１２ｄ、１３ａ、１３ｂ、１３ｃ）の輝度またはスピーカ１４の音量をアップする調整を行い、解除ボタン１３ｂの操作により表示部の輝度調整モードまたはスピーカ１４の音量をダウンする調整を行う。【選択図】図１
2014026622.tif 000002
【特許請求の範囲】
【請求項１】
ＩＣカードの識別データを読み取るＩＣカード読取装置において、
電気錠を警備モードに設定操作する警備ボタンと、警備解除モードに設定操作する解除ボタンと、前記ＩＣカードの識別データの読み取り操作または前記一乃至複数のボタンの操作により各種設定モードへ移行するモード設定部と、各種情報を表示する表示部と、警報および各種情報を出力するスピーカとを備え、
前記ＩＣカードの所定の読み取り操作または前記一つ乃至複数のボタンの所定操作により前記モード設定部のモードを前記表示部の輝度調整モードまたは前記スピーカの音量調整モードへ移行し、
前記一方のボタンを調整出力アップボタンとし、他方のボタンを調整出力ダウンボタンとして前記調整出力アップボタンおよび前記調整出力ボタンの操作により輝度調整または音量調整可能としたことを特徴とするＩＣカード読取装置。
【発明の詳細な説明】
【技術分野】
【０００１】
本発明は、ＩＣカードリーダなどのカード読取装置に関するものである。
【背景技術】
【０００２】
防犯システムとして入退室管理システムが知られている。入退室管理システムは、警戒区域毎に電気錠、ドアセンサあるいはパッシブセンサなどの各種防犯機器が設置され、さらに非接触式ＩＣカード等の識別データの読み取りや電気錠の警備状態・警備解除状態の設定を行う非接触カードリーダが設置され、これらによって侵入監視や入退室管理が行われるものである（特許文献１）。
【先行技術文献】
【特許文献】
【０００３】
【特許文献１】実開平３−７８３９１号
【０００４】
また、これらの各種防犯機器の状態信号又は非接触カードリーダの状態信号を受信して監視制御する制御装置が上位機種として設置される。なお、制御装置が非接触カードリーダまたは防犯機器から発報信号を受信すると、警備センターに通報（発信）する。
【０００５】
上述の非接触カードリーダは警戒区域のドアなどの入口側近傍に設置されるため、周囲の環境に応じて非接触カードリーダの表示部の明るさやスピーカの音量が予め設定される。つまり、非接触カードリーダが設置される場所が昼間でも暗い環境である場合には表示部は少ない光量（輝度）設定でも視認性が良く、工事現場や交通機関などに近い雑音が多く発生する環境である場合にはスピーカ音量を大きく設定して聞き取れるようにしている。
【発明の概要】
【発明が解決しようとする課題】
【０００６】
従来はメーカーあるいは管理者が、非接触カードリーダ内のディップスイッチを操作するか、パソコンなどを接続してシステムデータとして調整データを送信することにより上述した音量や光量（輝度）の設定を行っていた。
しかし、ディップスイッチ操作は、近年ディップスイッチ自体が小型化されて細かい作業が必要になり、また、調整データ送信はパソコンのような送信側の装置が必要となるため手間が掛かり、いずれの設定作業においても作業性が良いものではなく顧客にとって時間的・人的コストの負担も大きかった。
【０００７】
したがって、本発明は、防犯操作（警備操作や出入操作）に影響がなく、かつ簡便な方法で音量や光量（輝度）を調整可能なカード読取装置を提供することを目的とする。
【課題を解決するための手段】
【０００８】
上記目的を達成するために、請求項１記載の発明は、ＩＣカードの識別データを読み取るＩＣカード読取装置において、電気錠を警備状態に設定操作する警備ボタンと、警備解除状態に設定操作する解除ボタンと、前記ＩＣカードの識別データの読み取り操作または前記一乃至複数のボタンの操作により各種設定モードへ移行するモード設定部と、各種情報を表示する表示部と、警報および各種情報を出力するスピーカとを備え、前記ＩＣカードの所定の読み取り操作または前記一つ乃至複数のボタンの所定操作により前記モード設定部のモードを前記表示部の輝度調整モードまたは前記スピーカの音量調整モードへ移行し、前記一方のボタンを調整出力アップボタンとし、他方のボタンを調整出力ダウンボタンとして前記調整出力アップボタンおよび前記調整出力ボタンの操作により輝度調整または音量調整可能としたことを特徴とする。
【発明の効果】
【０００９】
本発明のカード読取装置により、管理者でない者であっても防犯操作に影響を与えることなく顧客の所望や設置環境に応じた音量や光量（輝度）の調節を行うことができる。
【図面の簡単な説明】
【００１０】
【図１】本発明のカード読取装置の外観を示す図である。
【図２】図１の概略回路構成図である。
【発明を実施するための形態】
【実施例】
【００１１】
以下、図面を用いて本発明の実施形態について説明する。
なお、以下に説明する実施形態においては、本発明を一例として入退室理機能および警備機能を１つの装置として実現したＩＣカードのカード読取装置（カードリーダ）およびそれを用いた認証システムについて説明するが、本発明はそれに限定されるものでなく、いずれか一方の機能のみ有するカードリーダにも適用することができる。
図１は、本実施形態に係る入退室管理機能と警備機能とを有する認証システムを構成するカード読取装置１の外観を示すもので、図２は、カード読取装置１の概略回路構成図である。
【００１２】
図１に示すように、本実施形態のカード読取装置１は、ケース本体１１の前面に、「解錠」や「照合」、「許可」、「異常」などの制御状態や処理結果を外部に報知するための表示ランプ１２ａ，１２ｂ，１２ｃ，１２ｄと、システムを警備状態へ移行させる指令を与えるための操作ボタン１３ａ（警備ボタン１３ａ）、システムを警備解除状態へ移行させる指令を与えるための操作ボタン１３ｂ（解除ボタン１３ｂ）、内蔵スピーカ１４ｃが発した音を外部へ伝わり易くするための多孔部１４、警備中に人感センサなどにより侵入が検知された場合に警備会社の巡回員が現場に赴いてシステムに警備開始（巡回開始）又は警備解除（巡回解除）を実行させる際に操作する操作ボタン１３ｃ（巡回ボタン１３ｃ）などが設けられている。なお、図示しないが、図１のカードリーダは、建物の入口のドア近傍の壁面などに設置されて使用される。
【００１３】
図２に示すように、カード読取装置１は、ＩＣカードと無線によるデータ送受信を行うアンテナ１６ｂおよび送受信部１６ａ、ケース１１の前面に設けられている警備ボタン１３ａ、解除ボタン１３ｂ、巡回ボタン１３ｃの各操作ボタンが操作されたか否かをスイッチ検出するための操作部１３、１３ａ、１３ｂ、１３ｃ、これらの操作ボタンスイッチ類からの信号を受けてカードリーダ２０内の制御信号を生成したり前記ＩＣカードとの通信処理を行う制御部２０およびＲＯＭ１８、ＲＡＭ１９などからなる。
また、制御部２０からの制御信号によってケース前面に設けられている表示ランプ１２ａ〜１２ｄ（「解錠」「照合」「許可」「異常」の表示）を点灯駆動するためのＬＥＤドライバ回路１２、制御状態や信号処理結果に応じた音声や警報音を出力するための音声合成部１４ａおよびスピーカ（ＳＰ）１４ｃを駆動するＳＰドライバ回路１４ｂなどを備える。
また、制御部２０は、本発明のＬＥＤの光らせ方やスピーカ１４ｃから発する音量や音の種類など、構築するシステムに応じた各種設定を行うため制御信号を送信する。
また、カード読取装置１には、外部からのＤＣ９Ｖ〜２８Ｖの電源電圧の供給を受けて各回路部の動作に必要な例えば５Ｖのような内部電源電圧Ｖｃｃを生成する電源部１７を備え
る。
【００１４】
本カード読取装置１は、「警備」、「解除」、「巡回」の各操作ボタン１３ａ〜１３ｃが操作されたり、ＩＣカードとの間の通信によりカードが認証された場合などに結果を管理装置（図示せず）へ知らせるための通信等を行う。管理装置は、システムに設けられている図２のような構成を有する複数のカード読取装置１とデータ通信を行いシステム全体を監視したり、ドアの開閉などの指令を送ったりする機能を有するように構成される。
【００１５】
次に、本カード読取装置１の輝度調整および音量調整機能について説明する。
なお、説明簡略のため、本カード読取装置１の各表示部の輝度は３段階（高輝度、中輝度、低輝度）に設定可能であるものとし、又、スピーカの音量は３段階（大、中、小）に設定可能であるものとし、工場出荷時の初期設定において表示部は中輝度、スピーカ音量は中音量に設定されているものとする。
また、輝度調整および音量調整いずれも消灯状態および無音状態への設定は出来ないものとする。
また、輝度調整においては、図１に示されるように複数の表示部があるが、図２および以下の説明においては、代表的な例として「異常」を表示する表示部１２ｄについて説明する。
【００１６】
まず、ＩＣカード（図示せず）との間の通信によりカードの識別データが読み取られ、このデータ照合の結果、認証されると、本カード読取装置１の各操作が可能となる。
次に警備ボタン１３ａおよび解除ボタン１３ｂを同時に長押しすると制御部２０は、警備状態または警備解除状態を継続させたまま各種設定モードの輝度調整モードへ移行する（設定部２２）。
なお、ここで、警備ボタン１３ａおよび解除ボタン１３ｂを同時に長押して各種設定モードへ移行する構成としたが、例えば、ＩＣカード認証後も継続してＩＣカードを翳して継続通信することにより各種設定モードへ移行する構成としてもよい。
また、警備状態であって各種設定モード中に侵入異常など信号を受信した場合には、各種設定モードを強制終了させて、表示部１３およびスピーカ１４ｃは初期設定の中輝度および中音量で異常警報を行う。
【００１７】
各種設定モードの輝度調整モードに移行すると、制御部２０は、予め設定してある輝度（中輝度）の明るさで点灯させる制御信号をＬＥＤドライバ１２に送信し、表示部１２ｄが中輝度の明るさで点灯する。なお、表示部１２ｄがモード移行前から点灯している場合には、中輝度による点灯を継続する。
この点灯状態で、警備ボタン１３ａが一度押されると制御部２０は輝度調整出力アップの信号を受信したと判断して、ＲＯＭ１８等の記憶部に記憶された高輝度データに基づいてＬＥＤドライバへ高輝度出力信号を送信し、表示部１２ｄを中輝度時の点灯よりも明るく点灯させる（光量を増加させる）。
すなわち、警備ボタン１３ａは輝度調整のための調整出力アップボタンを兼ねている。
【００１８】
なお、輝度を低く（光量を小さく）設定したい場合には、輝度調整モードに移行後、解除ボタン１３ｂを一度押すことにより低輝度信号をＬＥＤドライバへ送信する。つまり、解除ボタン１３ｂは輝度調整のための調整出力ダウンボタンを兼ねている。
【００１９】
次に、輝度調整を終了させる場合、再度警備ボタン１３ａおよび解除ボタン１２ｂを長押しすると、制御部２０は、輝度調整モードから各種設定モードの音量調整モードへ移行する。音量調整モードに移行すると、制御部２０は、予めＲＯＭ１８等の記憶部に記憶されている中音量出力データに基づいて中音量出力信号を音声合成部１４ａに送信し、ＳＰドライバ１４ｂを駆動させてスピーカ１４ｃから中音量の警報音または音声を出力させる。
この中音量の警報音出力状態で、警備ボタン１３ａが一度押されると制御部２０は音量調整出力アップの信号を受信したと判断して、ＲＯＭ１８等の記憶部に記憶された大音量データに基づいて音声合成部１４ａへ大音量出力信号を送信し、ＳＰドライバ１４ｂを駆動させてスピーカ１４ｃから中音量の警報音よりも大きい音量で警報音または音声を出力させる。
すなわち、警備ボタン１３ａは音量調整のための調整出力アップボタンを兼ねている。
【００２０】
なお、音量を小さく設定したい場合には、音量調整モードに移行後、解除ボタン１３ｂを一度押すことにより小音量信号を音声合成部１４ａへ送信し、ＳＰドライバ１４ｂを駆動させてスピーカ１４ｃから中音量の警報音よりも小さい音量で警報音または音声を出力させる。つまり、解除ボタン１３ｂは音量調整のための調整出力ダウンボタンを兼ねている。
【００２１】
次に、輝度調整および音量調整が終了し、各種設定モードを終了させる場合には、再度警備ボタン１３ａおよび解除ボタン１２ｂを長押しすると、制御部２０は、各種設定処理モードを終了するとともに、表示部１２ｄの点灯を継続させ、スピーカ１４ｃの音量出力を停止させる（設定部２２）。
【００２２】
以上本発明者によってなされた発明を実施形態に基づき具体的に説明したが、本発明は前記実施形態に限定されるものではない。例えば、前記実施形態においては、一例として入退出管理機能と警備機能とを１つの装置として実現したＩＣカードのカードリーダおよびそれを用いた認証システムに適用した場合について説明したが、入退出管理機能または警備機能のいずれか一方の機能のみ有するカードリーダにも適用することができる。
【００２３】
また、実施例において、輝度調整を輝度に応じた出力信号送信により調整する構成としたが、ＬＥＤドライバ１２の増幅率を変化させる構成としてもよいし、抵抗値の異なる接続抵抗を切り替えてＬＥＤ駆動電流を変化させる構成としてもよい。
また、音量調整を音量に応じた音量出力信号の送信により調整する構成としたが、音声合成部分１４ａに電子ボリュームが内蔵されている場合には、操作部１３の操作により電子ボリュームを変化させる構成としてもよいし、ＳＰドライバ１４ｂの増幅率を変化させる構成としてもよい。
【符号の説明】
【００２４】
１  カード読取装置
１１  ケース
１２  表示部（12a、12b、12c）
１３  操作部（13a、13b、13c）
１４  多孔部（スピーカ14c）
１６ａ  アンテナ
２０  制御部
【図１】
2014026622.tif 000003
【図２】
2014026622.tif 000004
【手続補正書】
【提出日】平成24年7月31日(2012.7.31)
【手続補正１】
【補正対象書類名】特許請求の範囲
【補正対象項目名】全文
【補正方法】変更
【補正の内容】
【特許請求の範囲】
【請求項１】
ＩＣカードの識別データを読み取るカード読取装置において、
電気錠を警備モードに設定操作する警備ボタンと、警備解除モードに設定操作する解除ボタンと、前記ＩＣカードの識別データの読み取り操作または前記一乃至複数のボタンの操作により各種設定モードへ移行するモード設定部と、各種情報を表示する表示部と、警報および各種情報を出力するスピーカとを備え、
前記ＩＣカードの所定の読み取り操作または前記一つ乃至複数のボタンの所定操作により前記モード設定部のモードを前記表示部の輝度調整モードまたは前記スピーカの音量調整モードへ移行し、
前記一方のボタンを調整出力アップボタンとし、他方のボタンを調整出力ダウンボタンとして前記調整出力アップボタンおよび前記調整出力ダウンボタンの操作により輝度調整または音量調整可能としたことを特徴とするカード読取装置。
【手続補正２】
【補正対象書類名】明細書
【補正対象項目名】０００８
【補正方法】変更
【補正の内容】
【０００８】
上記目的を達成するために、請求項１記載の発明は、ＩＣカードの識別データを読み取るカード読取装置において、電気錠を警備状態に設定操作する警備ボタンと、警備解除状態に設定操作する解除ボタンと、前記ＩＣカードの識別データの読み取り操作または前記一乃至複数のボタンの操作により各種設定モードへ移行するモード設定部と、各種情報を表示する表示部と、警報および各種情報を出力するスピーカとを備え、前記ＩＣカードの所定の読み取り操作または前記一つ乃至複数のボタンの所定操作により前記モード設定部のモードを前記表示部の輝度調整モードまたは前記スピーカの音量調整モードへ移行し、前記一方のボタンを調整出力アップボタンとし、他方のボタンを調整出力ダウンボタンとして前記調整出力アップボタンおよび前記調整出力ダウンボタンの操作により輝度調整または音量調整可能としたことを特徴とする。